(57)【特許請求の範囲】
【請求項１】
上下に重ねあわせた一対のボタンの操作で湯水の流路を第１通水孔又は第２通水孔に切替え、さらに止水を可能にした止水機能付シャワーヘッドにおいて、湯水が通過する流路及び切替室を内部に形成したシャワーヘッド本体は、第１弁口と第２弁口を穿設した分流筒を切替室に装着し、該切替室には分流筒に穿設した各弁口を開閉する弁体、及び該弁体を弾力的に押圧するスプリングを収容した一対の弁体保持具を収容し、該弁体保持具は弁体と連繋しており、前記第１弁口と連通する第１通水孔と、前記第２弁口と連通する第２通水孔とが吐水形態が異なるように形成されている吐水筒を下部から装着し、前記一対のボタンの操作で各弁体は２個の弁口のうち１個を閉鎖し１個の弁口を開口して何れかの通水孔から吐水したり、または２個の弁口を同時に閉鎖することで止水を可能とし、且つ、各弁体保持具が左右に並んだ状態で一方のボタンを操作すると、該ボタンと連繋した弁体支持具を移動させるとともに、他方のボタンと連繋した弁体支持具を移動させることを特徴とする止水機能付シャワーヘッド。
【発明の詳細な説明】
【０００１】
【発明の属する技術分野】
本発明は流し台や洗面化粧台で使用され、ボタンの操作で湯水の流路を切替えたり止水を可能にした止水機能付シャワーヘッドに関する。
【０００２】
【従来の技術】
従来、シャワーヘッドから吐水される湯水の流路を用途に応じて２種類の吐水形態へ切替えたり、さらに止水も可能とした止水機能付シャワーヘッドとして公知のものに、特開２０００−１５４５６５号公報の図１及び図２（本願図面の図９（ａ），（ｂ））のものがある。この図９（ａ），（ｂ）について簡単に説明すると、混合水栓７１のホルダー７２先端に引出し自在に支持されているシャワーヘッド７３は、ボタン７４と連繋している保持部材８４を流路７５の下部に形成した切替室７８に移動自在に介在させ、該切替室７８は上部で隔壁７６の略中心に穿設した止水孔７７により流路７５と連通し、下部に装着した仕切板７９に第１吐水部８２と連通する第１弁孔８０、及び第２吐水部８３と連通する第２弁孔８１を間隔をおいて穿設し、前記保持部材８４は内部に収容したスプリング８５により止水弁８６及び切替弁８７を上下に弾力的に押圧し、ボタン７４が中央の位置の時は、止水弁８６は止水孔７７を閉鎖して流路７５から切替室７８への湯水の供給が遮断され止水状態となり、ボタン７４を止水位置から一方又は他方へ操作して保持部材８４を移動させることで止水孔７７を開放し、切替弁８７により第１弁孔８０又は第２弁孔８１を開閉し、第１吐水部８２又は第２吐水部８３からの湯水の吐水を可能にしたものである。
【０００３】
上記のシャワーヘッドは、ボタンと連繋している保持部材により止水と流路の切替えを行う際に、流路から切替室へ向けて供給される湯水の止水を行うには、スプリングで止水弁を上側へ弾力的に押圧して、上流側の流路と下流側の切替室を連通する止水孔を閉鎖するが、止水弁は上流側から高い湯水の圧力を受けるので、止水を確実に行うためスプリングの弾性力を高くする必要があり、弾性力を高くするほど止水弁と止水孔の密着性が高く止水を確実とすることが可能であるが、流路切替時の保持部材の平行方向への移動抵抗が大きくなり、ボタンの切替操作が重く、操作性が悪くなるという問題があった。
【０００４】
【発明が解決しようとする課題】
本発明が解決しようとする課題は、ボタンの操作で湯水の流路を第１通水孔又は第２通水孔に切替え、さらに止水を可能にした止水機能付シャワーヘッドにおいて、何れかの吐水位置又は止水位置に切替える際に、ボタンを軽快に操作できるように操作性の向上を図ることである。
【０００５】
【課題を解決するための手段】
本発明は請求項１では、上下に重ねあわせた一対のボタンの操作で湯水の流路を第１通水孔又は第２通水孔に切替え、さらに止水を可能にした止水機能付シャワーヘッドにおいて、湯水が通過する流路及び切替室を内部に形成したシャワーヘッド本体は、第１弁口と第２弁口を穿設した分流筒を切替室に装着し、該切替室には分流筒に穿設した各弁口を開閉する弁体、及び該弁体を弾力的に押圧するスプリングを収容した一対の弁体保持具を収容し、該各弁体保持具は各弁体と連繋しており、前記第１弁口と連通する第１通水孔と、前記第２弁口と連通する第２通水孔とが吐水形態が異なるように形成されている吐水筒を下部から装着し、前記一対のボタンの操作で各弁体は２個の弁口のうち１個を閉鎖し１個の弁口を開口して何れかの通水孔から吐水したり、または２個の弁口を同時に閉鎖することで止水を可能とし、且つ、各弁体保持具が左右に並んだ状態で一方のボタンを操作すると、該ボタンと連繋した弁体支持具を移動させるとともに、他方のボタンと連繋した弁体支持具を移動させるものである。
【０００６】
【発明の実施の形態】
以下、本発明の実施の形態を図に基づいて詳細に説明する。本発明は図１に示すように、シャワーヘッド本体１は全体を合成樹脂材料で成型し、内部には湯水が通過する横長で円筒状の流路２が形成され、該流路２の一端に開口した接続口３にシャワーホースを接続するもので、流路２の他端には下方に向けて切替室４を形成し、該切替室４には下方から分流筒８が装着される。
【０００７】
前記分流筒８は図１及び図２に示すように、大径円盤部９と、該大径円盤部９より小径の小径円盤部１５と、大径円盤部９の中央から下方に突設した円筒形で、小径円盤部１５より小径の直流吐水部１８とを上下に一体に形成した形状であり、両円盤部９，１５は外周面にそれぞれ環状溝１０，１６を形成して水密用のＯリング，パッキン等によるシール材１１，１７を装着し、大径円盤部９上面のシート面１２には、円形で直流用の第１弁口１３を中央にしてその側方に同一形状の泡沫用の第２弁口１４が、後述する一対の弁体保持具２４，２４ａの各弁軸２６，２６ａを中心とする同心円上に位置するように間隔をおいて穿設され、第１弁口１３は前記直流吐水部１８の通水路１９と上下に連通し、第２弁口１４は大径円盤部９を上下に貫通している。また、前記直流吐水部１８の通水路１９には、通過する湯水を整流化するための整流器２０を収容している。
【０００８】
一対のボタン２１，２１ａは丸みを帯びた略長方形の板状で、上面又は下面の一部に薄肉とした係合部２２，２２ａを形成し、図３に示すように第１ボタン２１は係合部２２を下面に、第２ボタン２１ａは係合部２２ａを上面で互いの係合部２２，２２ａを上下に重ね合わせた状態で、シャワーヘッド本体１の正面から水平方向に開口した横長の開口孔５に一部が外部に露出するように装着するものであり、各係合部２２，２２ａには上下に貫通した貫通溝２３，２３ａを夫々穿設し、該貫通溝２３，２３ａには下方から弁体保持具２４，２４ａの弁軸２６，２６ａが係合される。
【０００９】
前記弁体保持具２４，２４ａは図２に示すように、長方形状のプレート部２５，２５ａの両端に、ボタン２１，２１ａの貫通溝２３，２３ａに係合する弁軸２６，２６ａと円筒形の保持筒２７，２７ａとを一体形成したもので、該保持筒２７，２７ａは下方を開口した円筒形で、弁体２９，２９ａを前記分流筒８のシート面１２に向けて下方に弾力的に押圧するためのスプリング２８，２８ａを内部に収容可能である。そしてこの弁体保持具２４，２４ａは、第１弁体保持具２４は第１ボタン２１と結合し、第２弁体保持具２４ａは第２ボタン２１ａと結合するものであり、シャワーヘッド本体１の開口孔５から切替室４に連通するように上下に穿設した一対の軸孔６，６に、各弁軸２６，２６ａを水平方向に回転可能に挿着し、横断面四角形状の該弁軸２６，２６ａの先端にボタン２１，２１ａの貫通溝２３，２３ａを係合した状態で、弁軸２６，２６ａを中心に水平方向に回転自在にシャワーヘッド本体１の切替室４内に収容される。
【００１０】
また両ボタン２１，２１ａは何れも一部は必ずシャワーヘッド本体１の開口孔５から外部へ露出しており、図６に示すように各ボタン２１，２１ａがシャワーヘッド本体１から左右両端で露出している場合は、中央の直流用の第１弁口１３が開口し、この状態から図７に示すように正面から第１ボタン２１を押した場合は、第１弁体保持具２４が弁軸２６を中心に平行方向に回転するので、泡沫用の第２弁口１４が開口し、図８に示すように正面から第２ボタン２１ａを押した場合は、第２弁体保持具２４ａが弁軸２６ａを中心に平行方向に回転するので、第１弁体保持具２４を水平方向に押しながら回転し、この場合、第１弁口１３は第２弁体２９ａにより閉鎖され、第２弁口１４は第１弁体２９により閉鎖されるので、止水状態となる。
【００１１】
泡沫板３０は図１及び図２に示すように、略リング型で外周面に環状溝３１を形成して水密用のＯリング，パッキン等によるシール材３２を装着し、中央に開口した嵌合孔３３を、前記分流筒８の小径円盤部１５の外周に水密的に嵌合するものであり、嵌合孔３３周縁から上方には、環状の筒部３４が突出して一体形成され、周面の環状部３５には多数の小孔３７を上下方向に多数穿設した通水部３６を等間隔で複数個形成している。
【００１２】
前記泡沫板３０の上部には、略リング型のストレーナ３８が重ね合わされる。該ストレーナ３８は泡沫板３０の環状部３５を上部から覆うもので、前記分流筒８の第２弁口１４から供給される湯水は、ストレーナ３８の網目により異物が除去された状態で、泡沫板３０の通水部３６を通過するものであり、湯水は多数の小孔３７により流速を増して下方に供給される。
【００１３】
吐水筒３９は図１及び図２に示すように上部を開口した円筒形で、上部内周に形成した雌ねじ部４０をシャワーヘッド本体１の下部外周に形成した雄ねじ部７にＯリング，パッキン等のシール材４１を挟んで螺着することで水密的に装着され、図４及び図５に示すように、中央部分に前記分流筒８の直流吐水部１８と上下に連通する円筒状の直流筒４２を形成し、該直流筒４２には整流網４４を複数枚重ね合わせて保持し、直流用の第１通水孔４３から直流水を外部へ吐水可能である。また、直流筒４２の外周には環状の収納部４５が形成され、前記泡沫板３０の通水部３６と上下に連通する泡沫用の第２通水孔４６を、円周方向に等間隔で複数個形成している。また、前記収納部４５には第２通水孔４６を上部から覆う泡沫網４７が、複数枚重ね合わされた状態で嵌め込まれており、前記泡沫板３０の小孔３７により流速を増して供給される湯水は、泡沫網４７に衝突するようにしている。
【００１４】
吐水筒３９の底面で第２通水孔４６の外周には、円形の空気導入孔４８を等間隔で各第２通水孔４６の間ごとに複数個穿設し、該空気導入孔４８は外部から吐水筒３９の収納部４５に空気を導入し、前記泡沫板３０の小孔３７から流速を増して収納部４５に供給される湯水は、空気が混入した状態で複数枚の泡沫網４７に衝突することで、良好な泡沫水を形成できるようにしている。
【００１５】
上記構成のシャワーヘッドにおいて、図６では第１ボタン２１と連繋した第１弁体２９は第２弁口１４を閉鎖し、第１弁口１３は開口して切替室４と連通している。この場合切替室４の湯水は、分流筒８の直流吐水部１８に収容されている整流器２０及び吐水筒３９の複数枚の整流網４４を通過して、乱れのない整流化された直流状態で直流用の第１通水孔４３から勢いよく吐水され、この直流水はコップ又はその他大きな容器に短時間で湯水を入れる場合に適している。
【００１６】
次に図６の状態から、シャワーヘッド本体１の正面から露出している第１ボタン２１を押すと、図７に示すように第１ボタン２１と連繋した第１弁体保持具２４は、弁軸２６を中心にして第１弁体２９が水平方向に移動し、該第１弁体２９は第１弁口１３を閉鎖し、泡沫用の第２弁口１４は開口して切替室４と連通している。この場合切替室４の湯水は、第２通水孔４６から外部へ吐水されるまでの間に、泡沫板３０の通水部３６で多数の小孔３７で流速が増すのと、泡沫網４７を通過する湯水には、吐水筒３９の空気導入孔４８から導入される空気が混入することで、湯水は良好に泡沫化されて各第２通水孔４６から泡沫水が吐水され、この泡沫水は流水音やシンク等への落下音が低いうえ、水跳ねが少なく柔らかい水流を広い範囲で吐出させることができ、食器類の洗浄に好都合である。
【００１７】
さらに図７の状態から、シャワーヘッド本体１の正面から露出している第２ボタン２１ａを押すと、図８に示すように第２ボタン２１ａと連繋した第２弁体保持具２４ａは弁軸２６ａを中心にして第２弁体２９ａが水平方向に移動するが、この場合第１弁体２９は第２弁体２９ａと左右に並んでいるので、第２弁体２９ａに押されて同一方向に移動し、第１弁体２９は第２弁口１４を閉鎖し、第２弁体２９ａは第１弁口１３を閉鎖し、止水状態となる。
【００１８】
なお、本実施例では２個の通水孔から直流水，泡沫水を吐水するが、他の吐水形態としてもよく、例えば散水やマッサージ水やミスト水を吐水できるようにしてもよい。
【００１９】
【発明の効果】
この発明は、上下に重ねあわせた一対のボタンの操作で湯水の流路を第１通水孔又は第２通水孔に切替え、さらに止水を可能にした止水機能付シャワーヘッドにおいて、湯水が通過する流路及び切替室を内部に形成したシャワーヘッド本体は、第１弁口と第２弁口を穿設した分流筒を切替室に装着し、該切替室には分流筒に穿設した各弁口を開閉する弁体、及び該弁体を弾力的に押圧するスプリングを収容した一対の弁体保持具を収容し、該各弁体保持具は各弁体と連繋しており、前記第１弁口と連通する第１通水孔と、前記第２弁口と連通する第２通水孔とが吐水形態が異なるように形成されている吐水筒を下部から装着し、前記一対のボタンの操作で各弁体は２個の弁口のうち１個を閉鎖し１個の弁口を開口して何れかの通水孔から吐水したり、または２個の弁口を同時に閉鎖することで止水を可能とし、且つ、各弁体保持具が左右に並んだ状態で一方のボタンを操作すると、該ボタンと連繋した弁体支持具を移動させるとともに、他方のボタンと連繋した弁体支持具を移動させるものである。従って一対のボタンの操作で第１通水孔からは例えば直流水を、第２通水孔からは泡沫水を吐水可能で、止水を行うには、各ボタンと連繋した弁体を下方に向けて付勢することで、分流筒に穿設した２つの弁口を閉鎖するので、従来のように弁体を高い弾性力で押圧する必要がなく、流路の切替えと止水を円滑に行うことができ、操作性が向上し使い勝手が極めて良い。
【図面の簡単な説明】
【図１】  本発明の止水機能付シャワーヘッドの縦断面図である。
【図２】  止水機能付シャワーヘッドの分解斜視図である。
【図３】  シャワーヘッドの正面図である。
【図４】  吐水筒の拡大底面図である。
【図５】  吐水筒の拡大平面図である。
【図６】  止水機能付シャワーヘッドの直流水を吐水する場合の説明図である。
【図７】  止水機能付シャワーヘッドの泡沫水を吐水する場合の説明図である。
【図８】  止水機能付シャワーヘッドの止水状態の説明図である。
【図９】  従来技術の説明図で、（ａ）はシャワーヘッドを支持した混合水栓の側面図であり、（ｂ）はシャワーヘッドの縦断面図である。
【符号の説明】
１            シャワーヘッド本体
２            流路
４            切替室
５            開口孔
８            分流筒
１３          第１弁口
１４          第２弁口
２１          第１ボタン
２１ａ        第２ボタン
２４          第１弁体保持具
２４ａ        第２弁体保持具
２８，２８ａ  スプリング
２９          第１弁体
２９ａ        第２弁体
３９          吐水筒
４３          第１通水孔
４６          第２通水孔
【図１】
0003727531.tif 000002
【図２】
0003727531.tif 000003
【図３】
0003727531.tif 000004
【図４】
0003727531.tif 000005
【図５】
0003727531.tif 000006
【図６】
0003727531.tif 000007
【図７】
0003727531.tif 000008
【図８】
0003727531.tif 000009
【図９】
0003727531.tif 000010